(57)【要約】      （修正有）【課題】プリザードフラワーをアレンジするための容器であって、美観に優れ、さらに、自然な花の香りを楽しむことを可能とするプリザードフラワーをアレンジするためのレース付き容器および補助容器を提供する。【解決手段】プリザードフラワーをアレンジするための容器の中に収める補助容器の開口部に花の香りがする香料を含有する装飾レースを設置し、美観に優れるとともに、観察者が自然な花の外観と香りを楽しむことが可能となるように、プリザードフラワーアレンジメント補助容器を構成する。【選択図】図１
0003135397.tif 000002
【実用新案登録請求の範囲】
【請求項１】
プリザードフラワーをアレンジするための容器の中に収める補助容器であって、
前記補助容器の開口部に装飾レースが設置されていることを特徴とするプリザードフラワーアレンジメント用補助容器。
【請求項２】
請求項１に記載のプリザードフラワーアレンジメント用補助容器において、
前記装飾レースは花の香りを有する香水を含有していることを特徴とするプリザードフラワーアレンジメント用補助容器。
【請求項３】
請求項１または2に記載のプリザードフラワーアレンジメント用補助容器を具備するプリザードフラワーをアレンジするためのプリザードフラワーアレンジメント用容器。
【請求項４】
プリザードフラワーをアレンジするための容器であって、
前記容器の内壁に装飾レースが設置されていることを特徴とする装飾レース付プリザードフラワーアレンジメント用容器。
【請求項５】
請求項４に記載の装飾レース付プリザードフラワーアレンジメント用容器において、
前記装飾レースは花の香りを有する香水を含有していることを特徴とする装飾レース付プリザードフラワーアレンジメント用容器。
【請求項６】
請求項３に記載のプリザードフラワーアレンジメント用容器にプリザードフラワーがアレンジされたプリザードフラワーの置物。
【請求項７】
請求項４または5に記載の装飾レース付プリザードフラワーアレンジメント用容器にプリザードフラワーがアレンジされたプリザードフラワーの置物。
【考案の詳細な説明】
【技術分野】
【０００１】
本考案は、プリザードフラワーをアレンジするための容器に関する。
【背景技術】
【０００２】
近年、生花と同じような風合いを有するとともに、長期間保存ができることから、プリザードフラワーをアレンジした飾り物が普及しつつある。
【０００３】
プリザードフラワーは自然の花を素材としているために、観察者の自然な反応として、花の香りを期待して、プリザードフラワーをアレンジした飾り物に鼻を近づける場合も多い。
【非特許文献１】Ｂｅｓｔ  Ｆｌｏｗｅｒ  ＡＲＲＡＮＧＥＭＥＮＴ    2006Ｓｕｍｍｅｒ  Ｎｏ．１８、２００６年７月１日発行、株式会社フォーシーズンズプレス、水谷しのぶ編集
【考案の開示】
【考案が解決しようとする課題】
【０００４】
しかしながら、プリザードフラワーは花びらの樹液が抜き取られ、保存料と色素が含有されており、自然の生花のような香りを有していない。そのために、香りを期待して、プリザードフラワーをアレンジした飾り物に鼻を近づけても、プリザードフラワー自体には香りがなく、香りを期待した観察者に、ある種の落胆感または不自然さを感じさせてしまう。
【０００５】
一方、香りを有するものをプリザードフラワーに混ぜてアレンジすると生花の風合いを損なう場合が多い。
【０００６】
そこで、本考案は、プリザードフラワーをアレンジするための容器であって、美観に優れ、さらに、自然な花の香りを楽しむことを可能とするプリザードフラワーをアレンジするためのプリザードフラワーアレンジメント用補助容器および装飾レース付プリザードフラワーアレンジメント用容器を提供することを目的とする。
【課題を解決するための手段】
【０００７】
請求項１に記載された考案は、プリザードフラワーをアレンジするための容器の中に収める補助容器であって、
前記補助容器の開口部に装飾レースが設置されていることを特徴とする。
【０００８】
請求項２に記載された考案は、請求項１に記載のプリザードフラワーアレンジメント用補助容器に係り、
前記装飾レースは花の香りを有する香水を含有していることを特徴とする。
【０００９】
請求項３に記載された考案は、プリザードフラワーをアレンジするためのプリザードフラワーアレンジメント用容器であって、
請求項１または2に記載のプリザードフラワーアレンジメント用補助容器を具備することを特徴とする。
【００１０】
請求項４に記載された考案は、プリザードフラワーをアレンジするための容器であって、
前記容器の内壁に装飾レースが設置されていることを特徴とする。
【００１１】
請求項５に記載された考案は、請求項４に記載の装飾レース付プリザードフラワーアレンジメント用容器に係り、
前記装飾レースは花の香りを有する香水を含有していることを特徴とする。
【００１２】
請求項６に記載された考案は、プリザードフラワーがアレンジされたプリザードフラワーの置物であって、
請求項１または2に記載のプリザードフラワーアレンジメント用補助容器にプリザードフラワーがアレンジされていることを特徴とする。
【００１３】
請求項７に記載された考案は、プリザードフラワーがアレンジされたプリザードフラワ
ーの置物であって、
請求項４または5に記載の装飾レース付プリザードフラワーアレンジメント用容器にプリザードフラワーがアレンジされていることを特徴とする。
【考案の効果】
【００１４】
本考案に係るプリザードフラワーアレンジメント用容器および補助容器によれば、プリザードフラワーを美しく飾ることができるとともに、花の香りを楽しむことも可能となり、プリザードフラワーをアレンジした置物の価値を高めることができる。
【考案を実施するための最良の形態】
【００１５】
以下、図を参照しつつ、本考案を実施するための最良の形態につき説明する。
（実施の形態１）
図１は本考案に係るプリザードフラワーアレンジメント用補助容器を用いてプリザードフラワーがアレンジされた置物の斜視図である。
図４は、本考案に係るプリザードフラワーアレンジメント用補助容器がプリザードフラワーアレンジメント用容器１０２の中に収められている様子を示す斜視図である。
【００１６】
図１において、１００は本考案に係るプリザードフラワーアレンジメント用補助容器であり、１０１はプリザードフラワーアレンジメント用補助容器１００を構成する円筒形の容器部であり。１０３は円筒形の容器部に設置された装飾レースであり、１０２はプリザードフラワーアレンジメント用補助容器１００が収められたフラワーアレンジメント用容器であり、１０４はプリザードフラワーである。
【００１７】
図４において、１００は本考案に係るプリザードフラワーアレンジメント用補助容器であり、１０１はプリザードフラワーアレンジメント用補助容器１００を構成する円筒形の容器部であり。１０３は円筒形の容器部に設置された装飾レースであり、１０２はプリザードフラワーアレンジメント用補助容器１００が収められたフラワーアレンジメント用容器である。
【００１８】
本発明に係るプリザードフラワーアレンジメント用補助容器１００はフラワーアレンジメント用容器１０２の中に設置されており、その中にプリザードフラワー１０４がアレンジされている。図１においては、プリザードフラワーアレンジメント用補助容器１００の外形を把握しにくいので、プリザードフラワーアレンジメント用補助容器１００単体につき抜き出して説明する。
【００１９】
図２は、プリザードフラワーアレンジメント用補助容器１００の構成を示す斜視図である。
図２において、１０１は円筒形の容器部であり、１０３は円筒形の容器部１０１に設置された装飾レースである。
プリザードフラワーアレンジメント用補助容器１００は円筒形の容器部１０１に装飾レース１０３が設置されたものであり、例えば薄い透明のプラスチック製の容器部１０１に装飾レース１０３が設置される。ただし、容器部１０１の材質は薄い透明のプラスチックに限定されるわけではない。
装飾レース１０３は容器部１０１に接着剤等により接着する。
【００２０】
図１に示されているように、本考案に係るプリザードフラワーアレンジメント用補助容器１００は、フラワーアレンジメント用容器１０２の中に設置して、使用される。本プリザードフラワーアレンジメント用補助容器１００の中にプリザードフラワー１０４をアレンジする。プリザードフラワー１０４をアレンジする詳細については公知な事項であるので説明は省略する。フラワーアレンジメント用容器１０２の材質は特に限定されないが、例えば木質の容器に布を張ったものや、プラスチックや、金属が好適である。
【００２１】
装飾レース１０３は通常の布製のレースである。また、該装飾レースに花の香りがする香料を含有させる。プリザードフラワーは生花を材料とするので、外観は生花と全く同じである。そのために、例えば、贈り物としてプリザードフラワーがアレンジされた置物を受け取った観察者は、プリザードフラワーがアレンジされた置物の花に、自然に、鼻を近づけて、花の香りを楽しもうとしてしまうことがある。この場合、従来の置物では、香りが全くしないので、観察者に違和感を与えてしまう。他方、香水を含有させたことが、外観的にわかってしまうと、プリザードフラワーがアレンジされた置物の自然らしさが損なわれ、価値が下がる。そこで、装飾レースは美観的に、プリザードフラワーがアレンジされた置物の価値を高めることに役に立つとともに、材質的に香料を含有させるのが容易な点に着目し、装飾レースを円筒形の容器部１０１に設置したものである。
【００２２】
なお、プリザードフラワーアレンジメント用補助容器１００の形状は円筒形に限定されるものではなく、容器の役割を果たし得る形状であれば、どのような形状であってもよい。
【００２３】
図３はプリザードフラワーがアレンジされた矩形体の形状の置物の斜視図である。
図３において、１０１は矩形体の形状の容器部であり、１０３は矩形体の形状の容器部１０１に設置された装飾レースである。１０２はプリザードフラワーアレンジメント用補助容器１００が収められたフラワーアレンジメント用容器である。
（実施の形態２）
次に、本考案に係る装飾レース付プリザードフラワーアレンジメント用容器について説明する。
図５は本考案に係る装飾レース付プリザードフラワーアレンジメント用容器の斜視図である。
図５において、５０１は円筒形の容器部であり、１０３は装飾レースである。５００は装飾レース付プリザードフラワーアレンジメント用容器である。
本考案に係る装飾レース付プリザードフラワーアレンジメント用容器においては、プリザードフラワーアレンジメント用容器５０１の内壁に直接、装飾レース１０３を設置する。プリザードフラワーアレンジメント用容器の内壁の表面が、装飾レース１０３を直接内壁に接着することが可能な材質である場合に、内壁に接着することにより、補助容器を使用しないですむ。装飾レース１０３には、実施の形態１の場合と同様に花の香りを有する香料を含有させる。
【図面の簡単な説明】
【００２４】
【図１】本考案に係るプリザードフラワーアレンジメント用補助容器を用いてプリザードフラワーがアレンジされた置物の斜視図である。
【図２】プリザードフラワーアレンジメント用補助容器１００の構成を示す斜視図である。
【図３】プリザードフラワーがアレンジされた矩形体の形状の置物の斜視図である。
【図４】本考案に係るプリザードフラワーアレンジメント用補助容器１００がプリザードフラワーアレンジメント用容器１０２の中に収められている様子を示す斜視図である。
【図５】本考案に係る装飾レース付プリザードフラワーアレンジメント用容器の斜視図である。
【符号の説明】
【００２５】
１００      本考案に係るプリザードフラワーアレンジメント用補助容器
１０１      プリザードフラワーアレンジメント用補助容器１００を構成する円筒形の容器部
１０２      プリザードフラワーアレンジメント用容器
１０３      装飾レース
１０４      プリザードフラワー
【図１】
0003135397.tif 000003
【図２】
0003135397.tif 000004
【図３】
0003135397.tif 000005
【図４】
0003135397.tif 000006
【図５】
0003135397.tif 000007